(57)【要約】  移動局および基地局は、１個以上のダウンリンクサブフレームと、１個以上のアップリンクサブフレームとを含むフレームを用いて通信する。基地局は、ダウンリンクサブフレームインデックスに相当するサブフレームでデータバーストの送信を開始する。移動局は、アップリンクサブフレームインデックスに相当するサブフレームでデータバーストのためのフィードバックを基地局に送信する。フレームが時間分割二重方式に従う場合、アップリンクサブフレームインデックスは、ダウンリンクサブフレームインデックスとパラメータ値とを少なくとも用いて決定される。
2013509790.tif 000002
【特許請求の範囲】
【請求項１】
移動局が、１個以上のダウンリンクサブフレームと、１個以上のアップリンクサブフレームとを含むフレームを用いて基地局と通信する方法において、
ダウンリンクサブフレームインデックスに相当するサブフレームでデータバーストの受信を開始するステップと、
前記フレームが時間分割二重方式に従い、前記ダウンリンクサブフレームの個数が前記アップリンクサブフレームの個数より多い場合、前記ダウンリンクサブフレームの個数と前記アップリンクサブフレームの個数との差の半分より小さいか等しい整数のうち最も大きい整数を、パラメータ値として決定するステップと、
前記フレームが時間分割二重方式に従う場合、前記ダウンリンクサブフレームインデックスと前記パラメータ値とを少なくとも用いてフィードバック送信のためのアップリンクサブフレームインデックスを決定するステップと、
前記アップリンクサブフレームインデックスに相当するサブフレームで前記データバーストに対するフィードバックを前記基地局に送信するステップとを含むことを特徴とする通信方法。
【請求項２】
前記フレームが時間分割二重方式に従い、前記ダウンリンクサブフレームの個数が前記アップリンクサブフレームの個数より少ないか等しい場合、前記アップリンクサブフレームの個数と前記ダウンリンクサブフレームの個数との差の半分より大きいか等しい整数のうち最も小さい整数に−１を乗じた整数を、前記パラメータ値として決定するステップをさらに含むことを特徴とする請求項１に記載の通信方法。
【請求項３】
前記フレームが時間分割二重方式に従う場合、前記アップリンクサブフレームインデックスを決定するステップは、
前記ダウンリンクサブフレームの個数が前記アップリンクサブフレームの個数より多く、前記ダウンリンクサブフレームインデックスが前記パラメータ値より大きいか等しく、前記ダウンリンクサブフレームインデックスが前記パラメータ値と前記アップリンクフレームの個数との和より小さい場合、前記ダウンリンクサブフレームインデックスから前記パラメータ値を引いた値を、前記アップリンクサブフレームインデックスとして決定するステップと、
前記ダウンリンクサブフレームの個数が前記アップリンクサブフレームの個数より多く、前記ダウンリンクサブフレームインデックスが０より大きいか等しく、前記ダウンリンクサブフレームインデックスが前記パラメータ値より小さい場合、０を、前記アップリンクサブフレームインデックスとして決定するステップと、
前記ダウンリンクサブフレームの個数が前記アップリンクサブフレームの個数より多く、前記ダウンリンクサブフレームインデックスが前記パラメータ値と前記アップリンクフレームの個数との和より大きいか等しく、前記ダウンリンクサブフレームインデックスが前記ダウンリンクフレームの個数より小さい場合、前記アップリンクフレームの個数から１を引いた値を、前記アップリンクサブフレームインデックスとして決定するステップと、
前記ダウンリンクサブフレームの個数が前記アップリンクサブフレームの個数より少ないか等しい場合、前記ダウンリンクサブフレームインデックスから前記パラメータ値を引いた値を、前記アップリンクサブフレームインデックスとして決定するステップとを含むことを特徴とする請求項２に記載の通信方法。
【請求項４】
前記フレームが周波数分割二重方式に従う場合、前記フレーム内のサブフレームの個数の半分と前記ダウンリンクサブフレームインデックスとの和より大きいか等しい整数のうち最も小さい整数を前記フレーム内のサブフレームの個数で除した余りを、フィードバック送信のためのアップリンクサブフレームインデックスとして決定するステップをさらに含むことを特徴とする請求項１〜３のいずれか１項に記載の通信方法。
【請求項５】
基地局が、１個以上のダウンリンクサブフレームと、１個以上のアップリンクサブフレームとを含むフレームを用いて移動局と通信する方法において、
ダウンリンクサブフレームインデックスに相当するサブフレームでデータバーストの送信を開始するステップと、
アップリンクサブフレームインデックスに相当するサブフレームで前記データバーストに対するフィードバックを前記移動局から受信するステップとを含み、
前記フレームが時間分割二重方式に従う場合、前記アップリンクサブフレームインデックスは、前記ダウンリンクサブフレームインデックスとパラメータ値とを少なくとも用いて決定され、
前記フレームが時間分割二重方式に従い、前記ダウンリンクサブフレームの個数が前記アップリンクサブフレームの個数より多い場合、前記パラメータ値は、前記ダウンリンクサブフレームの個数と前記アップリンクサブフレームの個数との差の半分より小さいか等しい整数のうち最も大きい整数に相当することを特徴とする通信方法。
【請求項６】
前記フレームが時間分割二重方式に従い、前記ダウンリンクサブフレームの個数が前記アップリンクサブフレームの個数より少ないか等しい場合、前記パラメータ値は、前記アップリンクサブフレームの個数と前記ダウンリンクサブフレームの個数との差の半分より大きいか等しい整数のうち最も小さい整数に−１を乗じた整数に相当することを特徴とする請求項５に記載の通信方法。
【請求項７】
前記フレームが周波数分割二重方式に従う場合、前記アップリンクサブフレームインデックスは、前記フレーム内のサブフレームの個数の半分と前記ダウンリンクサブフレームインデックスとの和より大きいか等しい整数のうち最も小さい整数を前記フレーム内のサブフレームの個数で除した余りに相当することを特徴とする請求項５または６に記載の通信方法。
【請求項８】
移動局が、１個以上のダウンリンクサブフレームと、１個以上のアップリンクサブフレームとを含むフレームを用いて基地局と通信する方法において、
ダウンリンクサブフレームインデックスに相当するサブフレームで資源割り当て情報を受信するステップと、
前記フレームが時間分割二重方式に従い、前記ダウンリンクサブフレームの個数が前記アップリンクサブフレームの個数より多いか等しい場合、前記ダウンリンクサブフレームの個数と前記アップリンクサブフレームの個数との差の半分より小さいか等しい整数のうち最も大きい整数を、パラメータ値として決定するステップと、
前記フレームが時間分割二重方式に従う場合、前記ダウンリンクサブフレームインデックスと前記パラメータ値とを少なくとも用いてアップリンクサブフレームインデックスを決定するステップと、
前記アップリンクサブフレームインデックスに相当するサブフレームで前記資源割り当て情報に相当するデータバーストの送信を開始するステップとを含むことを特徴とする通信方法。
【請求項９】
前記フレームが時間分割二重方式に従い、前記ダウンリンクサブフレームの個数が前記アップリンクサブフレームの個数より少ない場合、前記アップリンクサブフレームの個数と前記ダウンリンクサブフレームの個数との差の半分より大きいか等しい整数のうち最も小さい整数に−１を乗じた整数を、前記パラメータ値として決定するステップをさらに含むことを特徴とする請求項８に記載の通信方法。
【請求項１０】
前記フレームが時間分割二重方式に従う場合、前記アップリンクサブフレームインデックスを決定するステップは、
前記ダウンリンクサブフレームの個数が前記アップリンクサブフレームの個数より多いか等しく、前記ダウンリンクサブフレームインデックスが前記パラメータ値より大きいか等しく、前記ダウンリンクサブフレームインデックスが前記パラメータ値と前記アップリンクフレームの個数との和より小さい場合、前記ダウンリンクサブフレームインデックスから前記パラメータ値を引いた値を、前記アップリンクサブフレームインデックスとして決定するステップと、
前記ダウンリンクサブフレームの個数が前記アップリンクサブフレームの個数より多いか等しく、前記ダウンリンクサブフレームインデックスが０より大きいか等しく、前記ダウンリンクサブフレームインデックスが前記パラメータ値より小さい場合、０を、前記アップリンクサブフレームインデックスとして決定するステップと、
前記ダウンリンクサブフレームの個数が前記アップリンクサブフレームの個数より多いか等しく、前記ダウンリンクサブフレームインデックスが前記パラメータ値と前記アップリンクフレームの個数との和より大きいか等しく、前記ダウンリンクサブフレームインデックスが前記ダウンリンクフレームの個数より小さい場合、前記アップリンクフレームの個数から１を引いた値を、前記アップリンクサブフレームインデックスとして決定するステップと、
前記ダウンリンクサブフレームの個数が前記アップリンクサブフレームの個数より少なく、前記ダウンリンクサブフレームインデックスが０より大きく、前記ダウンリンクサブフレームの個数から１を引いた整数より小さい場合、前記ダウンリンクサブフレームインデックスから前記パラメータ値を引いた値を、前記アップリンクサブフレームインデックスとして決定するステップとを含むことを特徴とする請求項９に記載の通信方法。
【請求項１１】
前記ダウンリンクサブフレームインデックスに相当するサブフレームで前記データバーストに対するフィードバックを受信するステップと、
前記フィードバックが否定的であれば、前記アップリンクサブフレームインデックスに相当するサブフレームで前記データバーストの再送を開始するステップとをさらに含むことを特徴とする請求項８〜１０のいずれか１項に記載の通信方法。
【請求項１２】
基地局が、１個以上のダウンリンクサブフレームと、１個以上のアップリンクサブフレームとを含むフレームを用いて移動局と通信する方法において、
ダウンリンクサブフレームインデックスに相当するサブフレームで資源割り当て情報を前記移動局に伝送するステップと、
アップリンクサブフレームインデックスに相当するサブフレームで前記資源割り当て情報に相当するデータバーストの受信を開始するステップとを含み、
前記フレームが時間分割二重方式に従う場合、前記アップリンクサブフレームインデックスは、前記ダウンリンクサブフレームインデックスとパラメータ値とを少なくとも用いて決定され、
前記フレームが時間分割二重方式に従い、前記ダウンリンクサブフレームの個数が前記アップリンクサブフレームの個数より多いか等しい場合、前記パラメータ値は、前記ダウンリンクサブフレームの個数と前記アップリンクサブフレームの個数との差の半分より小さいか等しい整数のうち最も大きい整数に相当することを特徴とする通信方法。
【請求項１３】
前記フレームが時間分割二重方式に従い、前記ダウンリンクサブフレームの個数が前記アップリンクサブフレームの個数より少ない場合、前記パラメータ値は、前記アップリンクサブフレームの個数と前記ダウンリンクサブフレームの個数との差の半分より大きいか等しい整数のうち最も小さい整数に−１を乗じた整数に相当することを特徴とする請求項１２に記載の通信方法。
【請求項１４】
前記フレームが周波数分割二重方式に従う場合、前記アップリンクサブフレームインデックスは、前記フレーム内のサブフレームの個数の半分と前記ダウンリンクサブフレームインデックスとの和より大きいか等しい整数のうち最も小さい整数を前記フレーム内のサブフレームの個数で除した余りに相当することを特徴とする請求項１２または１３に記載の通信方法。
【請求項１５】
移動局が、１個以上のダウンリンクサブフレームと、１個以上のアップリンクサブフレームとを含むフレームを用いて基地局と通信する方法において、
ダウンリンクサブフレームインデックスに相当するサブフレームでデータバーストを受信するステップと、
前記フレームが時間分割二重方式に従う場合、前記ダウンリンクサブフレームインデックスから第１基準タイミング間隔だけ離れたアップリンクサブフレームで前記データバーストに対するフィードバックを前記基地局に伝送するステップと、
前記フレームが周波数分割二重方式に従う場合、前記ダウンリンクサブフレームインデックスから第２基準タイミング間隔だけ離れたアップリンクサブフレームで前記データバーストに対するフィードバックを前記基地局に伝送するステップとを含み、
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であることを特徴とする通信方法。
【請求項１６】
基地局が、１個以上のダウンリンクサブフレームと、１個以上のアップリンクサブフレームとを含むフレームを用いて移動局と通信する方法において、
ダウンリンクサブフレームインデックスに相当するサブフレームでデータバーストを伝送するステップと、
前記フレームが時間分割二重方式に従う場合、前記ダウンリンクサブフレームインデックスから第１基準タイミング間隔だけ離れたアップリンクサブフレームで前記データバーストに対するフィードバックを前記移動局から受信するステップと、
前記フレームが周波数分割二重方式に従う場合、前記ダウンリンクサブフレームインデックスから第２基準タイミング間隔だけ離れたアップリンクサブフレームで前記データバーストに対するフィードバックを前記移動局から受信するステップとを含み、
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であることを特徴とする通信方法。
【請求項１７】
移動局が、１個以上のダウンリンクサブフレームと、１個以上のアップリンクサブフレームとを含むフレームを用いて基地局と通信する方法において、
ダウンリンクサブフレームインデックスに相当するサブフレームで資源割り当て情報を前記基地局から受信するステップと、
前記フレームが時間分割二重方式に従う場合、前記ダウンリンクサブフレームインデックスから第１基準タイミング間隔だけ離れたアップリンクサブフレームで前記資源割り当て情報に相当するデータバーストを前記基地局に伝送するステップと、
前記フレームが周波数分割二重方式に従う場合、前記ダウンリンクサブフレームインデックスから第２基準タイミング間隔だけ離れたアップリンクサブフレームで前記データバーストを前記基地局に伝送するステップとを含み、
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であることを特徴とする通信方法。
【請求項１８】
前記ダウンリンクサブフレームインデックスに相当するサブフレームで前記データバーストに対するフィードバックを前記基地局から受信するステップと、
前記フィードバックが否定的であれば、前記ダウンリンクサブフレームインデックスから第１基準タイミング間隔だけ離れたアップリンクサブフレームのアップリンクサブフレームインデックスと同一のアップリンクサブフレームインデックスを有するサブフレームで前記データバーストを前記基地局に再送するステップとをさらに含むことを特徴とする請求項１７に記載の通信方法。
【請求項１９】
基地局が、１個以上のダウンリンクサブフレームと、１個以上のアップリンクサブフレームとを含むフレームを用いて移動局と通信する方法において、
ダウンリンクサブフレームインデックスに相当するサブフレームで資源割り当て情報を前記移動局に伝送するステップと、
前記フレームが時間分割二重方式に従う場合、前記ダウンリンクサブフレームインデックスから第１基準タイミング間隔だけ離れたアップリンクサブフレームで前記資源割り当て情報に相当するデータバーストを前記移動局から受信するステップと、
前記フレームが周波数分割二重方式に従う場合、前記ダウンリンクサブフレームインデックスから第２基準タイミング間隔だけ離れたアップリンクサブフレームで前記データバーストを前記移動局から受信するステップとを含み、
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であることを特徴とする通信方法。
【請求項２０】
前記ダウンリンクサブフレームインデックスに相当するサブフレームで前記データバーストに対するフィードバックを移動局に伝送するステップをさらに含むことを特徴とする請求項１９に記載の通信方法。
【請求項２１】
移動局が、Ｄ個のダウンリンクサブフレームと、Ｕ個のアップリンクサブフレームとを含む時間分割二重方式のフレームを用いて基地局と通信する方法において、
ｍ番目のダウンリンクサブフレームでサブパケットの受信を開始するステップと、
ｎ番目のアップリンクサブフレームで前記サブパケットに対するフィードバックを前記基地局に送信するステップとを含み、
前記インデックスｎは、次の数式により求められ、
【数１】
2013509790.tif 000015
ｃｅｉｌ（ｘ）は、媒介変数ｘより大きいか等しい整数のうち最も小さい整数を返す関数であり、ｆｌｏｏｒ（ｘ）は、媒介変数ｘより小さいか等しい整数のうち最も大きい整数を返す関数であることを特徴とする通信方法。
【請求項２２】
基地局が、Ｄ個のダウンリンクサブフレームと、Ｕ個のアップリンクサブフレームとを含む時間分割二重方式のフレームを用いて移動局と通信する方法において、
ｍ番目のダウンリンクサブフレームでサブパケットの送信を開始するステップと、
ｎ番目のアップリンクサブフレームで前記サブパケットに対するフィードバックを前記移動局から受信するステップとを含み、
前記インデックスｎは、次の数式により求められ、
【数２】
2013509790.tif 000016
ｃｅｉｌ（ｘ）は、媒介変数ｘより大きいか等しい整数のうち最も小さい整数を返す関数であり、ｆｌｏｏｒ（ｘ）は、媒介変数ｘより小さいか等しい整数のうち最も大きい整数を返す関数であることを特徴とする通信方法。
【請求項２３】
移動局が、Ｄ個のダウンリンクサブフレームと、Ｕ個のアップリンクサブフレームとを含む時間分割二重方式のフレームを用いて基地局と通信する方法において、
ｌ番目のダウンリンクサブフレームで資源割り当て情報を受信するステップと、
ｍ番目のアップリンクサブフレームで前記資源割り当て情報に相当するサブパケットの送信を開始するステップとを含み、
前記インデックスｍは、次の数式により求められ、
【数３】
2013509790.tif 000017
ｃｅｉｌ（ｘ）は、媒介変数ｘより大きいか等しい整数のうち最も小さい整数を返す関数であり、ｆｌｏｏｒ（ｘ）は、媒介変数ｘより小さいか等しい整数のうち最も大きい整数を返す関数であることを特徴とする通信方法。
【請求項２４】
基地局が、Ｄ個のダウンリンクサブフレームと、Ｕ個のアップリンクサブフレームとを含む時間分割二重方式のフレームを用いて移動局と通信する方法において、
ｌ番目のダウンリンクサブフレームで資源割り当て情報を前記移動局に伝送するステップと、
ｍ番目のアップリンクサブフレームで前記資源割り当て情報に相当するサブパケットの受信を開始するステップとを含み、
前記インデックスｍは、次の数式により求められ、
【数４】
2013509790.tif 000018
ｃｅｉｌ（ｘ）は、媒介変数ｘより大きいか等しい整数のうち最も小さい整数を返す関数であり、ｆｌｏｏｒ（ｘ）は、媒介変数ｘより小さいか等しい整数のうち最も大きい整数を返す関数であることを特徴とする通信方法。
【発明の詳細な説明】
【技術分野】
【０００１】
本発明は、通信方法に関する。特に、本発明は、ハイブリッドＡＲＱを用いる基地局および移動局に関する。
【背景技術】
【０００２】
無線移動通信システムは、主に通信フレームを用いて通信を行う。
【０００３】
以下、図１および図２を参照して、通信フレームを説明する。
【０００４】
図１は、従来の周波数分割二重方式（Ｆｒｅｑｕｅｎｃｙ  Ｄｉｖｉｓｉｏｎ  Ｄｕｐｌｅｘ、ＦＤＤ）の通信フレームを示す。
【０００５】
図１に示されているように、周波数分割二重方式の通信フレームは、Ｆ個のダウンリンクサブフレームと、Ｆ個のアップリンクサブフレームとを含む。Ｆとは、１つの通信フレームを構成するサブフレームの個数に相当する。
【０００６】
Ｆ個のダウンリンクサブフレームには、０からＦ−１に相当するダウンリンクサブフレームインデックスが割り当てられ、Ｆ個のアップリンクサブフレームには、０からＦ−１に相当するアップリンクサブフレームインデックスが割り当てられる。
【０００７】
図２は、従来の時間分割二重方式（Ｔｉｍｅ  Ｄｉｖｉｓｉｏｎ  Ｄｕｐｌｅｘ、ＴＤＤ）の通信フレームを示す。
【０００８】
図２に示されているように、時間分割二重方式の通信フレームは、Ｄ個のダウンリンクサブフレームと、Ｕ個のアップリンクサブフレームとを含む。
【０００９】
Ｄ個のダウンリンクサブフレームには、０からＤ−１に相当するダウンリンクサブフレームインデックスが割り当てられ、Ｕ個のアップリンクサブフレームには、０からＵ−１に相当するアップリンクサブフレームインデックスが割り当てられる。
【００１０】
無線移動通信システムは、チャネル帯域幅とサイクリックプレフィックス比（Ｃｙｃｌｉｃ  Ｐｒｅｆｉｘ  Ｒａｔｉｏ、ＣＰ比）により通信フレームの構造を異にすることができる。次の表１がその例である。
【表１】
2013509790.tif 000003
【００１１】
一方、無線移動通信システムは、伝送時間単位として伝送時間間隔（Ｔｒａｎｓｍｉｓｓｉｏｎ  Ｔｉｍｅ  Ｉｎｔｅｒｖａｌ、ＴＴＩ）を用いることができる。ＴＴＩとは、無線インタフェース（ｒａｄｉｏ  ａｉｒ  ｉｎｔｅｒｆａｃｅ）上で符号化されたパケットに対する物理階層の伝送持続期間（ｄｕｒａｔｉｏｎ）に相当し、サブフレーム（ｓｕｂｆｒａｍｅ）または進歩したエアインタフェースサブフレーム（Ａｄｖａｎｃｅｄ  Ａｉｒ  Ｉｎｔｅｒｆａｃｅ（ＡＡＩ）ｓｕｂｆｒａｍｅ）の整数（ｉｎｔｅｇｅｒ  ｎｕｍｂｅｒ）形態で表現される。つまり、１ＴＴＩは、１個のサブフレームの長さ分を占めるパケット（サブパケットまたはデータバースト）の伝送持続期間であり、ｎＴＴＩは、ｎ個のサブフレームの長さ分のパケットの伝送持続期間を示す。
【００１２】
また、データバースト（ｄａｔａ  ｂｕｒｓｔ）は、１つのサブフレームにわたって伝送されるか、連続した複数のサブフレームにわたって伝送され得る。データバーストが１つのサブフレームで伝送される場合、当該データバーストに対する持続期間はｏｎｅ  ＴＴＩあるいはｄｅｆａｕｌｔ  ＴＴＩとし、データバーストが連続した複数のサブフレームにわたって伝送される場合、当該データバーストに対する持続期間はＬｏｎｇ  ＴＴＩとする。例えば、ＦＤＤ伝送モードにおいて、Ｌｏｎｇ  ＴＴＩ伝送の場合、データバーストは、４個のサブフレームに相当する長さを占めると定義できる。
【００１３】
移動通信システムは、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）シンボルの数により、次のような４つの類型のサブフレームを用いることができる。ｔｙｐｅ−１サブフレームは６個のＯＦＤＭＡシンボル数から構成され、ｔｙｐｅ−２サブフレームは７個のＯＦＤＭＡシンボル数から構成され、ｔｙｐｅ−３サブフレームは５個のＯＦＤＭＡシンボル数から構成され、ｔｙｐｅ−４サブフレームは９個のＯＦＤＭＡシンボル数から構成される。
【００１４】
例えば、チャネル帯域幅が７ＭＨｚで、ＣＰ比が１／８で、Ｆ＝５のＦＤＤモードと、Ｄ＋Ｕ＝５のＴＤＤモードを用いる移動通信システムを説明すると、次のとおりである。まず、ＦＤＤモードとＴＤＤモードに同一のＣＰ比を適用するため、両モードにおいて、ＯＦＤＭＡ  ｓｙｍｂｏｌ  ｔｉｍｅ（Ｔｓ）は互いに同一である。この移動通信システムは、ＦＤＤの場合、１個のｔｙｐｅ−１サブフレームと、４個のｔｙｐｅ−２サブフレームとから構成された通信フレームを用い、ＴＤＤの場合、２個のｔｙｐｅ−１サブフレームと、３個のｔｙｐｅ−２サブフレームとから構成された通信フレームを用いる。したがって、ＦＤＤの通信フレームは、計３４個のＯＦＤＭＡシンボルから構成され、ＴＤＤの通信フレームは、計３３個のＯＦＤＭＡシンボルから構成される。このように、ＴＤＤの通信フレームは、ＦＤＤの通信フレームに比べて１個のＯＦＤＭＡシンボルをより少なく有しているが、ＴＤＤモードの場合、ＴＴＧ（Ｔｒａｎｓｍｉｔ／Ｒｅｃｅｉｖｅ  Ｔｒａｎｓｉｔｉｏｎ  Ｇａｐ）とＲＴＧ（Ｒｅｃｅｉｖｅ／Ｔｒａｎｓｍｉｔ  Ｔｒａｎｓｉｔｉｏｎ  Ｇａｐ）が使用されるため、ＦＤＤモードとＴＤＤモードにおいて、データバーストおよび制御信号を処理する時間はほぼ類似している。
【００１５】
一方、移動通信システムでは、高速のデータパケット伝送と少ない遅延、通信の信頼性確保のために、順方向エラー訂正（Ｆｏｒｗａｒｄ  ｅｒｒｏｒ  ｃｏｒｒｅｃｔｉｏｎ、ＦＥＣ）方式と、自動再送要求（Ａｕｔｏｍａｔｉｃ  ｒｅｐｅａｔ  ｒｅｑｕｅｓｔ、ＡＲＱ）方式とを結合したハイブリッドＡＲＱ（Ｈｙｂｒｉｄ  ＡＲＱ、ＨＡＲＱ）がよく使用される。
【００１６】
ＨＡＲＱプロトコルは、再送するパケットの伝送タイミング（ｔｉｍｉｎｇ）により、同期式（ｓｙｎｃｈｒｏｎｏｕｓ）ＨＡＲＱ手法と、非同期式（ａｓｙｎｃｈｒｏｎｏｕｓ）ＨＡＲＱ手法とに区分されるが、同期式ＨＡＲＱ手法は、初期伝送パケットに対する再送パケットの伝送時点を一定にする方式であり、非同期式ＨＡＲＱ手法は、初期伝送パケットに対する再送パケットの伝送時点を基地局のスケジューラが決定する方式である。
【００１７】
また、前記ＨＡＲＱ手法は、割り当てられる資源の量と位置変化の有無により、適応（ａｄａｐｔｉｖｅ）ＨＡＲＱ手法と、非適応（ｎｏｎ−ａｄａｐｔｉｖｅ）ＨＡＲＱ手法とに区分されるが、適応ＨＡＲＱ手法は、割り当てられる資源の量と位置を変化させることが可能な方式であり、非適応ＨＡＲＱ手法は、割り当てられる資源の量と位置を固定させる方式である。
【００１８】
同期式および非同期式ＨＡＲＱと適応および非適応ＨＡＲＱ手法を適切に混用し、少ないシグナリングオーバーヘッドを用いて高いスケジューリング利得と高速のデータ伝送効果を得ることができる。例えば、移動通信システムは、ダウンリンクデータ伝送に対しては適応非同期式ＨＡＲＱを適用し、アップリンクデータ伝送に対しては同期式ＨＡＲＱを適用することができる。
【００１９】
前述したように、ＦＤＤモードとＴＤＤモードにおいて、データバーストおよび制御信号を処理する時間がほぼ類似しているため、ＦＤＤモードとＴＤＤモードにおいて、同一のＨＡＲＱタイミングが適用される必要がある。
【先行技術文献】
【特許文献】
【００２０】
【特許文献１】米国特許出願公開第２００９−０１８１６８９号明細書
【発明の概要】
【発明が解決しようとする課題】
【００２１】
本発明が解決しようとする技術的課題は、同一のＨＡＲＱタイミングを適用する通信方法、基地局および移動局を提供することである。
【課題を解決するための手段】
【００２２】
本発明の一特徴にかかる移動局が、１個以上のダウンリンクサブフレームと、１個以上のアップリンクサブフレームとを含むフレームを用いて基地局と通信する方法は、ダウンリンクサブフレームインデックスに相当するサブフレームでデータバーストの受信を開始するステップと、前記フレームが時間分割二重方式に従い、前記ダウンリンクサブフレームの個数が前記アップリンクサブフレームの個数より多い場合、前記ダウンリンクサブフレームの個数と前記アップリンクサブフレームの個数との差の半分より小さいか等しい整数のうち最も大きい整数を、パラメータ値として決定するステップと、前記フレームが時間分割二重方式に従う場合、前記ダウンリンクサブフレームインデックスと前記パラメータ値とを少なくとも用いてフィードバック送信のためのアップリンクサブフレームインデックスを決定するステップと、前記アップリンクサブフレームインデックスに相当するサブフレームで前記データバーストに対するフィードバックを前記基地局に送信するステップとを含む。
【００２３】
前記方法は、前記フレームが時間分割二重方式に従い、前記ダウンリンクサブフレームの個数が前記アップリンクサブフレームの個数より少ないか等しい場合、前記アップリンクサブフレームの個数と前記ダウンリンクサブフレームの個数との差の半分より大きいか等しい整数のうち最も小さい整数に−１を乗じた整数を、前記パラメータ値として決定するステップをさらに含むことができる。
【００２４】
前記フレームが時間分割二重方式に従う場合、前記アップリンクサブフレームインデックスを決定するステップは、前記ダウンリンクサブフレームの個数が前記アップリンクサブフレームの個数より多く、前記ダウンリンクサブフレームインデックスが前記パラメータ値より大きいか等しく、前記ダウンリンクサブフレームインデックスが前記パラメータ値と前記アップリンクフレームの個数との和より小さい場合、前記ダウンリンクサブフレームインデックスから前記パラメータ値を引いた値を、前記アップリンクサブフレームインデックスとして決定するステップと、前記ダウンリンクサブフレームの個数が前記アップリンクサブフレームの個数より多く、前記ダウンリンクサブフレームインデックスが０より大きいか等しく、前記ダウンリンクサブフレームインデックスが前記パラメータ値より小さい場合、０を、前記アップリンクサブフレームインデックスとして決定するステップと、前記ダウンリンクサブフレームの個数が前記アップリンクサブフレームの個数より多く、前記ダウンリンクサブフレームインデックスが前記パラメータ値と前記アップリンクフレームの個数との和より大きいか等しく、前記ダウンリンクサブフレームインデックスが前記ダウンリンクフレームの個数より小さい場合、前記アップリンクフレームの個数から１を引いた値を、前記アップリンクサブフレームインデックスとして決定するステップと、前記ダウンリンクサブフレームの個数が前記アップリンクサブフレームの個数より少ないか等しい場合、前記ダウンリンクサブフレームインデックスから前記パラメータ値を引いた値を、前記アップリンクサブフレームインデックスとして決定するステップとを含むことができる。
【００２５】
前記方法は、前記フレームが周波数分割二重方式に従う場合、前記フレーム内のサブフレームの個数の半分と前記ダウンリンクサブフレームインデックスとの和より大きいか等しい整数のうち最も小さい整数を前記フレーム内のサブフレームの個数で除した余りを、フィードバック送信のためのアップリンクサブフレームインデックスとして決定するステップをさらに含むことができる。
【００２６】
本発明の他の特徴にかかる基地局が、１個以上のダウンリンクサブフレームと、１個以上のアップリンクサブフレームとを含むフレームを用いて移動局と通信する方法は、ダウンリンクサブフレームインデックスに相当するサブフレームでデータバーストの送信を開始するステップと、アップリンクサブフレームインデックスに相当するサブフレームで前記データバーストに対するフィードバックを前記移動局から受信するステップとを含む。
【００２７】
前記フレームが時間分割二重方式に従う場合、前記アップリンクサブフレームインデックスは、前記ダウンリンクサブフレームインデックスとパラメータ値とを少なくとも用いて決定できる。
【００２８】
前記フレームが時間分割二重方式に従い、前記ダウンリンクサブフレームの個数が前記アップリンクサブフレームの個数より多い場合、前記パラメータ値は、前記ダウンリンクサブフレームの個数と前記アップリンクサブフレームの個数との差の半分より小さいか等しい整数のうち最も大きい整数に相当することができる。
【００２９】
前記フレームが時間分割二重方式に従い、前記ダウンリンクサブフレームの個数が前記アップリンクサブフレームの個数より少ないか等しい場合、前記パラメータ値は、前記アップリンクサブフレームの個数と前記ダウンリンクサブフレームの個数との差の半分より大きいか等しい整数のうち最も小さい整数に−１を乗じた整数に相当することができる。
【００３０】
前記フレームが周波数分割二重方式に従う場合、前記アップリンクサブフレームインデックスは、前記フレーム内のサブフレームの個数の半分と前記ダウンリンクサブフレームインデックスとの和より大きいか等しい整数のうち最も小さい整数を前記フレーム内のサブフレームの個数で除した余りに相当することができる。
【００３１】
本発明の他の特徴にかかる移動局が、１個以上のダウンリンクサブフレームと、１個以上のアップリンクサブフレームとを含むフレームを用いて基地局と通信する方法は、ダウンリンクサブフレームインデックスに相当するサブフレームで資源割り当て情報を受信するステップと、前記フレームが時間分割二重方式に従い、前記ダウンリンクサブフレームの個数が前記アップリンクサブフレームの個数より多いか等しい場合、前記ダウンリンクサブフレームの個数と前記アップリンクサブフレームの個数との差の半分より小さいか等しい整数のうち最も大きい整数を、パラメータ値として決定するステップと、前記フレームが時間分割二重方式に従う場合、前記ダウンリンクサブフレームインデックスと前記パラメータ値とを少なくとも用いてアップリンクサブフレームインデックスを決定するステップと、前記アップリンクサブフレームインデックスに相当するサブフレームで前記資源割り当て情報に相当するデータバーストの送信を開始するステップとを含む。
【００３２】
前記方法は、前記フレームが時間分割二重方式に従い、前記ダウンリンクサブフレームの個数が前記アップリンクサブフレームの個数より少ない場合、前記アップリンクサブフレームの個数と前記ダウンリンクサブフレームの個数との差の半分より大きいか等しい整数のうち最も小さい整数に−１を乗じた整数を、前記パラメータ値として決定するステップをさらに含むことができる。
【００３３】
前記フレームが時間分割二重方式に従う場合、前記アップリンクサブフレームインデックスを決定するステップは、前記ダウンリンクサブフレームの個数が前記アップリンクサブフレームの個数より多いか等しく、前記ダウンリンクサブフレームインデックスが前記パラメータ値より大きいか等しく、前記ダウンリンクサブフレームインデックスが前記パラメータ値と前記アップリンクフレームの個数との和より小さい場合、前記ダウンリンクサブフレームインデックスから前記パラメータ値を引いた値を、前記アップリンクサブフレームインデックスとして決定するステップと、前記ダウンリンクサブフレームの個数が前記アップリンクサブフレームの個数より多いか等しく、前記ダウンリンクサブフレームインデックスが０より大きいか等しく、前記ダウンリンクサブフレームインデックスが前記パラメータ値より小さい場合、０を、前記アップリンクサブフレームインデックスとして決定するステップと、前記ダウンリンクサブフレームの個数が前記アップリンクサブフレームの個数より多いか等しく、前記ダウンリンクサブフレームインデックスが前記パラメータ値と前記アップリンクフレームの個数との和より大きいか等しく、前記ダウンリンクサブフレームインデックスが前記ダウンリンクフレームの個数より小さい場合、前記アップリンクフレームの個数から１を引いた値を、前記アップリンクサブフレームインデックスとして決定するステップと、前記ダウンリンクサブフレームの個数が前記アップリンクサブフレームの個数より少なく、前記ダウンリンクサブフレームインデックスが０より大きく、前記ダウンリンクサブフレームの個数から１を引いた整数より小さい場合、前記ダウンリンクサブフレームインデックスから前記パラメータ値を引いた値を、前記アップリンクサブフレームインデックスとして決定するステップとを含むことができる。
【００３４】
前記方法は、前記ダウンリンクサブフレームインデックスに相当するサブフレームで前記データバーストに対するフィードバックを受信するステップと、前記フィードバックが否定的であれば、前記アップリンクサブフレームインデックスに相当するサブフレームで前記データバーストの再送を開始するステップをさらに含むことができる。
【００３５】
本発明の他の特徴にかかる基地局が、１個以上のダウンリンクサブフレームと、１個以上のアップリンクサブフレームとを含むフレームを用いて移動局と通信する方法は、ダウンリンクサブフレームインデックスに相当するサブフレームで資源割り当て情報を前記移動局に伝送するステップと、アップリンクサブフレームインデックスに相当するサブフレームで前記資源割り当て情報に相当するデータバーストの受信を開始するステップとを含む。
【００３６】
前記フレームが時間分割二重方式に従う場合、前記アップリンクサブフレームインデックスは、前記ダウンリンクサブフレームインデックスとパラメータ値とを少なくとも用いて決定できる。
【００３７】
前記フレームが時間分割二重方式に従い、前記ダウンリンクサブフレームの個数が前記アップリンクサブフレームの個数より多いか等しい場合、前記パラメータ値は、前記ダウンリンクサブフレームの個数と前記アップリンクサブフレームの個数との差の半分より小さいか等しい整数のうち最も大きい整数に相当することができる。
【００３８】
前記フレームが時間分割二重方式に従い、前記ダウンリンクサブフレームの個数が前記アップリンクサブフレームの個数より少ない場合、前記パラメータ値は、前記アップリンクサブフレームの個数と前記ダウンリンクサブフレームの個数との差の半分より大きいか等しい整数のうち最も小さい整数に−１を乗じた整数に相当することができる。
【００３９】
前記フレームが周波数分割二重方式に従う場合、前記アップリンクサブフレームインデックスは、前記フレーム内のサブフレームの個数の半分と前記ダウンリンクサブフレームインデックスとの和より大きいか等しい整数のうち最も小さい整数を前記フレーム内のサブフレームの個数で除した余りに相当することができる。
【００４０】
本発明の他の特徴にかかる移動局が、１個以上のダウンリンクサブフレームと、１個以上のアップリンクサブフレームとを含むフレームを用いて基地局と通信する方法は、ダウンリンクサブフレームインデックスに相当するサブフレームでデータバーストを受信するステップと、前記フレームが時間分割二重方式に従う場合、前記ダウンリンクサブフレームインデックスから第１基準タイミング間隔だけ離れたアップリンクサブフレームで前記データバーストに対するフィードバックを前記基地局に伝送するステップと、前記フレームが周波数分割二重方式に従う場合、前記ダウンリンクサブフレームインデックスから第２基準タイミング間隔だけ離れたアップリンクサブフレームで前記データバーストに対するフィードバックを前記基地局に伝送するステップとを含む。
【００４１】
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であり得る。
【００４２】
本発明の他の特徴にかかる基地局が、１個以上のダウンリンクサブフレームと、１個以上のアップリンクサブフレームとを含むフレームを用いて移動局と通信する方法は、ダウンリンクサブフレームインデックスに相当するサブフレームでデータバーストを伝送するステップと、前記フレームが時間分割二重方式に従う場合、前記ダウンリンクサブフレームインデックスから第１基準タイミング間隔だけ離れたアップリンクサブフレームで前記データバーストに対するフィードバックを前記移動局から受信するステップと、前記フレームが周波数分割二重方式に従う場合、前記ダウンリンクサブフレームインデックスから第２基準タイミング間隔だけ離れたアップリンクサブフレームで前記データバーストに対するフィードバックを前記移動局から受信するステップとを含む。
【００４３】
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であり得る。
【００４４】
本発明の他の特徴にかかる移動局が、１個以上のダウンリンクサブフレームと、１個以上のアップリンクサブフレームとを含むフレームを用いて基地局と通信する方法は、ダウンリンクサブフレームインデックスに相当するサブフレームで資源割り当て情報を前記基地局から受信するステップと、前記フレームが時間分割二重方式に従う場合、前記ダウンリンクサブフレームインデックスから第１基準タイミング間隔だけ離れたアップリンクサブフレームで前記資源割り当て情報に相当するデータバーストを前記基地局に伝送するステップと、前記フレームが周波数分割二重方式に従う場合、前記ダウンリンクサブフレームインデックスから第２基準タイミング間隔だけ離れたアップリンクサブフレームで前記データバーストを前記基地局に伝送するステップとを含む。
【００４５】
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であり得る。
【００４６】
前記方法は、前記ダウンリンクサブフレームインデックスに相当するサブフレームで前記データバーストに対するフィードバックを前記基地局から受信するステップと、前記フィードバックが否定的であれば、前記ダウンリンクサブフレームインデックスから第１基準タイミング間隔だけ離れたアップリンクサブフレームのアップリンクサブフレームインデックスと同一のアップリンクサブフレームインデックスを有するサブフレームで前記データバーストを前記基地局に再送するステップとをさらに含むことができる。
【００４７】
本発明の他の特徴にかかる基地局が、１個以上のダウンリンクサブフレームと、１個以上のアップリンクサブフレームとを含むフレームを用いて移動局と通信する方法は、ダウンリンクサブフレームインデックスに相当するサブフレームで資源割り当て情報を前記移動局に伝送するステップと、前記フレームが時間分割二重方式に従う場合、前記ダウンリンクサブフレームインデックスから第１基準タイミング間隔だけ離れたアップリンクサブフレームで前記資源割り当て情報に相当するデータバーストを前記移動局から受信するステップと、前記フレームが周波数分割二重方式に従う場合、前記ダウンリンクサブフレームインデックスから第２基準タイミング間隔だけ離れたアップリンクサブフレームで前記データバーストを前記移動局から受信するステップとを含む。
【００４８】
周波数分割二重方式によるフレームが含むサブフレームの総数が、時間分割二重方式によるフレームのダウンリンクサブフレームの個数とアップリンクサブフレームの個数との和と等しい場合、前記第１基準タイミング間隔と、前記第２基準タイミング間隔とが同一であり得る。
【００４９】
前記方法は、前記ダウンリンクサブフレームインデックスに相当するサブフレームで前記データバーストに対するフィードバックを移動局に伝送するステップをさらに含むことができる。
【００５０】
本発明の他の特徴にかかる移動局が、Ｄ個のダウンリンクサブフレームと、Ｕ個のアップリンクサブフレームとを含む時間分割二重方式のフレームを用いて基地局と通信する方法は、ｍ番目のダウンリンクサブフレームでサブパケットの受信を開始するステップと、ｎ番目のアップリンクサブフレームで前記サブパケットに対するフィードバックを前記基地局に送信するステップとを含む。
【００５１】
ｃｅｉｌ（ｘ）は、媒介変数ｘより大きいか等しい整数のうち最も小さい整数を返す関数であり、ｆｌｏｏｒ（ｘ）は、媒介変数ｘより小さいか等しい整数のうち最も大きい整数を返す関数である通信方法である。
【００５２】
本発明の他の特徴にかかる基地局が、Ｄ個のダウンリンクサブフレームと、Ｕ個のアップリンクサブフレームとを含む時間分割二重方式のフレームを用いて移動局と通信する方法は、ｍ番目のダウンリンクサブフレームでサブパケットの送信を開始するステップと、ｎ番目のアップリンクサブフレームで前記サブパケットに対するフィードバックを前記移動局から受信するステップとを含む。
【００５３】
前記インデックスｎは、次の数式により求められる。
【数１】
2013509790.tif 000004
【００５４】
本発明の他の特徴にかかる移動局が、Ｄ個のダウンリンクサブフレームと、Ｕ個のアップリンクサブフレームとを含む時間分割二重方式のフレームを用いて基地局と通信する方法は、ｌ番目のダウンリンクサブフレームで資源割り当て情報を受信するステップと、ｍ番目のアップリンクサブフレームで前記資源割り当て情報に相当するサブパケットの送信を開始するステップとを含む。
【００５５】
本発明の他の特徴にかかる基地局が、Ｄ個のダウンリンクサブフレームと、Ｕ個のアップリンクサブフレームとを含む時間分割二重方式のフレームを用いて移動局と通信する方法は、ｌ番目のダウンリンクサブフレームで資源割り当て情報を前記移動局に伝送するステップと、ｍ番目のアップリンクサブフレームで前記資源割り当て情報に相当するサブパケットの受信を開始するステップとを含む。
【００５６】
前記インデックスｍは、次の数式により求められる。
【数２】
2013509790.tif 000005
【発明の効果】
【００５７】
本発明の特徴によれば、移動通信システムは、ＴＤＤモードとＦＤＤモードにおいて、同一のＨＡＲＱ信号処理時間を得ることができ、これにより、基地局と端末との間に行われるＨＡＲＱ動作が効率的に実行可能で、基地局と端末は一貫したＨＡＲＱ処理時間を有することができる。
【図面の簡単な説明】
【００５８】
【図１】従来の周波数分割二重方式の通信フレームを示す。
【図２】従来の時間分割二重方式の通信フレームを示す。
【図３】本発明の実施形態にかかるダウンリンクデータ通信方法を示すフローチャートである。
【図４】本発明の一実施形態にかかるダウンリンクＨＡＲＱタイミングを示す。
【図５】本発明の他の実施形態にかかるダウンリンクＨＡＲＱタイミングを示す。
【図６】本発明の実施形態にかかるアップリンクデータ通信方法を示すフローチャートである。
【図７】本発明の一実施形態にかかるアップリンクＨＡＲＱタイミングを示す。
【図８】本発明の他の実施形態にかかるアップリンクＨＡＲＱタイミングを示す。
【発明を実施するための形態】
【００５９】
以下、添付した図面を参照して、本発明の実施形態について本発明の属する技術分野における通常の知識を有する者が容易に実施できるように詳細に説明する。しかし、本発明は、種々の異なる形態で実現可能であり、ここで説明する実施形態に限定されない。そして、図面において、本発明を明確に説明するために説明上不必要な部分は省略し、明細書全体にわたって類似の部分については類似の図面符号を付した。
【００６０】
明細書全体において、ある部分がある構成要素を「含む」とする時、これは、特に反対となる記載がない限り、他の構成要素を除外するのではなく、他の構成要素をさらに包含できることを意味する。
【００６１】
本明細書において、移動局（Ｍｏｂｉｌｅ  Ｓｔａｔｉｏｎ、ＭＳ）は、端末（ｔｅｒｍｉｎａｌ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを称することもでき、移動端末、加入者局、携帯加入者局、ユーザ装置などの全部または一部の機能を含むこともできる。
【００６２】
本明細書において、基地局（Ｂａｓｅ  Ｓｔａｔｉｏｎ、ＢＳ）は、アクセスポイント（Ａｃｃｅｓｓ  Ｐｏｉｎｔ、ＡＰ）、無線アクセス局（Ｒａｄｉｏ  Ａｃｃｅｓｓ  Ｓｔａｔｉｏｎ、ＲＡＳ）、ノードＢ（Ｎｏｄｅ  Ｂ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを称することもでき、アクセスポイント、無線アクセス局、ノードＢ、送受信基地局、ＭＭＲ−ＢＳなどの全部または一部の機能を含むこともできる。
【００６３】
以下、図３ないし図５を参照して、本発明の実施形態にかかるダウンリンクデータ通信方法を説明する。
【００６４】
図３は、本発明の実施形態にかかるダウンリンクデータ通信方法を示すフローチャートである。
【００６５】
まず、基地局１００は、ダウンリンクサブフレームインデックスｌに相当するサブフレームでダウンリンク資源割り当て情報を移動局２００に伝送する（Ｓ１１０）。ダウンリンク資源割り当て情報は、Ａ−ＭＡＰ（Ａｄｖａｎｃｅｄ  ＭＡＰ）のような制御信号であり得る。
【００６６】
次に、基地局１００は、ダウンリンク資源割り当て情報により割り当てられたダウンリンク資源を介して、ダウンリンクサブフレームインデックスｍに相当するサブフレームでサブパケットのようなダウンリンクデータバーストの伝送を開始する（Ｓ１３０）。
【００６７】
移動局２００は、受信したダウンリンクデータバーストを復号し、復号に成功すると、肯定応答に相当するＡＣＫフィードバックを基地局１００に伝送し、復号に失敗すると、否定応答に相当するＮＡＣＫフィードバックを基地局１００に伝送する（Ｓ１５０）。移動局２００は、フィードバック伝送のために、アップリンクサブフレームインデックスｎに相当するサブフレームを用いる。
【００６８】
本発明の実施形態によれば、移動局２００は、アップリンクサブフレームインデックスｎを数式１または数式２により決定することができる。数式１は、通信フレームが周波数分割二重方式に従う場合に適用され、数式２は、通信フレームが時間分割二重方式に従う場合に適用される。
【数３】
2013509790.tif 000006
【００６９】
数式１において、ｍｏｄは、余りを求めるモジュロ（ｍｏｄｕｌｏ）演算子を示す。つまり、数式ａ＝（ｘ）ｍｏｄ（ｙ）は、ｘをｙで除した余りがａであるという意味である。
【数４】
2013509790.tif 000007
【００７０】
数式２において、パラメータ値Ｋは、時間分割二重方式でチャネル帯域幅、サブフレームの数などのシステム能力により決定されるパラメータである。パラメータＫは、ＨＡＲＱ基準タイミング間隔（ＨＡＲＱ  ｒｅｆｅｒｅｎｃｅ  ｔｉｍｉｎｇ  ｉｎｔｅｒｖａｌ）を得るのに用いられる。ダウンリンクＨＡＲＱ基準タイミング間隔は、ダウンリンクデータバーストが伝送されるダウンリンクサブフレームと、ＨＡＲＱフィードバックが伝送されるダウンリンクサブフレームとの間の間隔を意味する。
【００７１】
本発明の一実施形態によれば、移動局２００は、数式２におけるパラメータ値Ｋを数式３により決定することができる。
【数５】
2013509790.tif 000008
【００７２】
数式３において、ｃｅｉｌ（ｘ）関数は、媒介変数ｘより大きいか等しい整数のうち最も小さい整数を返す。ｆｌｏｏｒ（ｘ）関数は、媒介変数ｘより小さいか等しい整数のうち最も大きい整数を返す。
【００７３】
数式３によりパラメータ値Ｋを算出する場合、ダウンリンクＨＡＲＱ基準タイミング間隔は表２に示される。
【表２】
2013509790.tif 000009
【００７４】
表２によれば、ＦＤＤモードとＴＤＤモードの通信フレームが同数のサブフレームを有する場合に、ＦＤＤモードとＴＤＤモードのダウンリンクＨＡＲＱ基準タイミング間隔が互いに異なる。例えば、Ｆ＝５のＦＤＤモードの場合、ダウンリンクＨＡＲＱ基準タイミング間隔は２であるのに対し、Ｄ：Ｕ＝３：２のＴＤＤモードの場合、ダウンリンクＨＡＲＱ基準タイミング間隔は１である。
【００７５】
以下、数式３によりパラメータ値Ｋを算出する場合のダウンリンクＨＡＲＱタイミングを、図４を参照して説明する。
【００７６】
図４は、本発明の一実施形態にかかるダウンリンクＨＡＲＱタイミングを示す。
【００７７】
図４（ａ）は、Ｆ＝７のＦＤＤモードのダウンリンクＨＡＲＱタイミングを示し、図４（ｂ）は、Ｄ：Ｕ＝４：３のＴＤＤモードのダウンリンクＨＡＲＱタイミングを示す。数式３によれば、パラメータ値Ｋ＝ｃｅｉｌ（（Ｄ−Ｕ）／２）＝１である。
【００７８】
図４（ａ）によれば、基地局１００が、ダウンリンク資源割り当て情報とダウンリンクデータバーストをダウンリンクサブフレームインデックス（ｍ）１に相当するサブフレームで移動局２００に伝送する場合に、ｎ＝ｃｅｉｌ（ｍ＋Ｆ／２）ｍｏｄＦ＝ｃｅｉｌ（１＋７／２）ｍｏｄ７＝５であるため、移動局２００は、アップリンクサブフレームインデックス（ｎ）５に相当するサブフレームでｍ＝１に相当するデータバーストに対するＨＡＲＱフィードバックを基地局１００に伝送する。また、基地局１００が、ダウンリンク資源割り当て情報とダウンリンクデータバーストをダウンリンクサブフレームインデックス（ｍ）２に相当するサブフレームで移動局２００に伝送する場合に、移動局２００は、アップリンクサブフレームインデックス（ｎ）６に相当するサブフレームでｍ＝２に相当するデータバーストに対するＨＡＲＱフィードバックを基地局１００に伝送する。
【００７９】
一方、図４（ｂ）によれば、基地局１００が、ダウンリンク資源割り当て情報とダウンリンクデータバーストをダウンリンクサブフレームインデックス（ｍ）１に相当するサブフレームで移動局２００に伝送する場合に、Ｋ≦ｍ＜Ｕ＋Ｋであるため、ｎ＝ｍ−Ｋ＝１−１＝０により、ｎは０となる。つまり、移動局２００は、アップリンクサブフレームインデックス（ｎ）０に相当するサブフレームでｍ＝１に相当するデータバーストに対するＨＡＲＱフィードバックを基地局１００に伝送する。また、基地局１００が、ダウンリンク資源割り当て情報とダウンリンクデータバーストをダウンリンクサブフレームインデックス（ｍ）２に相当するサブフレームで移動局２００に伝送する場合に、移動局２００は、アップリンクサブフレームインデックス（ｎ）１に相当するサブフレームでｍ＝２に相当するデータバーストに対するＨＡＲＱフィードバックを基地局１００に伝送する。
【００８０】
図４によれば、ＦＤＤモードのダウンリンクＨＡＲＱ基準タイミング間隔は３であり、ＴＤＤモードのダウンリンクＨＡＲＱ基準タイミング間隔は２である。このように、パラメータ値Ｋが数式３により決定される場合に、ＦＤＤモードとＴＤＤモードの通信フレームが同数のサブフレームを有するとしても、ＴＤＤモードは、ＦＤＤモードに比べて、１サブフレームに相当する時間だけ不足するＨＡＲＱ信号処理時間を得ることができる。
【００８１】
したがって、本発明の他の実施形態によれば、移動局２００は、数式２におけるパラメータ値Ｋを数式４または数式５により決定することができる。
【数６】
2013509790.tif 000010
【数７】
2013509790.tif 000011
【００８２】
Ｄ＝Ｕの場合、Ｋ＝０であるため、数式４は、数式５と等価である。
【００８３】
数式４または数式５によりパラメータ値Ｋを算出する場合、ダウンリンクＨＡＲＱ基準タイミング間隔は表３に示される。
【表３】
2013509790.tif 000012
【００８４】
表３によれば、ＦＤＤモードとＴＤＤモードの通信フレームが同数のサブフレームを有する場合に、ＦＤＤモードとＴＤＤモードのダウンリンクＨＡＲＱ基準タイミング間隔が互いに同一である。
【００８５】
以下、数式４または５によりパラメータ値Ｋを算出する場合のダウンリンクＨＡＲＱタイミングを、図５を参照して説明する。
【００８６】
図５は、本発明の他の実施形態にかかるダウンリンクＨＡＲＱタイミングを示す。
【００８７】
図５（ａ）は、Ｆ＝７のＦＤＤモードのダウンリンクＨＡＲＱタイミングを示し、図５（ｂ）は、Ｄ：Ｕ＝４：３のＴＤＤモードのダウンリンクＨＡＲＱタイミングを示す。数式４または数式５によれば、パラメータ値Ｋ＝ｆｌｏｏｒ（（Ｄ−Ｕ）／２）＝０である。
【００８８】
図５（ａ）によれば、基地局１００が、ダウンリンク資源割り当て情報とダウンリンクデータバーストをダウンリンクサブフレームインデックス（ｍ）１に相当するサブフレームで移動局２００に伝送する場合に、ｎ＝ｃｅｉｌ（ｍ＋Ｆ／２）ｍｏｄＦ＝ｃｅｉｌ（１＋７／２）ｍｏｄ７＝５であるため、移動局２００は、アップリンクサブフレームインデックス（ｎ）５に相当するサブフレームでｍ＝１に相当するデータバーストに対するＨＡＲＱフィードバックを基地局１００に伝送する。また、基地局１００が、ダウンリンク資源割り当て情報とダウンリンクデータバーストをダウンリンクサブフレームインデックス（ｍ）２に相当するサブフレームで移動局２００に伝送する場合に、移動局２００は、アップリンクサブフレームインデックス（ｎ）６に相当するサブフレームでｍ＝２に相当するデータバーストに対するＨＡＲＱフィードバックを基地局１００に伝送する。
【００８９】
一方、図５（ｂ）によれば、基地局１００が、ダウンリンク資源割り当て情報とダウンリンクデータバーストをダウンリンクサブフレームインデックス（ｍ）１に相当するサブフレームで移動局２００に伝送する場合に、Ｋ≦ｍ＜Ｕ＋Ｋであるため、ｎ＝ｍ−Ｋ＝１−０＝１により、ｎは１となる。つまり、移動局２００は、アップリンクサブフレームインデックス（ｎ）＝１に相当するサブフレームでｍ＝１に相当するデータバーストに対するＨＡＲＱフィードバックを基地局１００に伝送する。また、基地局１００が、ダウンリンク資源割り当て情報とダウンリンクデータバーストをダウンリンクサブフレームインデックス（ｍ）２に相当するサブフレームで移動局２００に伝送する場合に、移動局２００は、アップリンクサブフレームインデックス（ｎ）＝２に相当するサブフレームでｍ＝２に相当するデータバーストに対するＨＡＲＱフィードバックを基地局１００に伝送する。
【００９０】
図５によれば、ＦＤＤモードのダウンリンクＨＡＲＱ基準タイミング間隔と、ＴＤＤモードのダウンリンクＨＡＲＱ基準タイミング間隔とはいずれも３である。このように、ＦＤＤモードとＴＤＤモードの通信フレームが同数のサブフレームを有し、パラメータ値Ｋが数式４または数式５により決定される場合に、ＴＤＤモードとＦＤＤモードは、同一のＨＡＲＱ信号処理時間を得る。これにより、基地局と端末との間に行われるＨＡＲＱ動作が効率的に実行可能で、基地局と端末は一貫したＨＡＲＱ処理時間を有することができる。
【００９１】
以下、図６ないし図８を参照して、本発明の実施形態にかかるアップリンクデータ通信方法を説明する。
【００９２】
図６は、本発明の実施形態にかかるアップリンクデータ通信方法を示すフローチャートである。
【００９３】
まず、基地局１００は、ダウンリンクサブフレームインデックス（ｌ）に相当するサブフレームでアップリンク資源割り当て情報を移動局２００に伝送する（Ｓ２１０）。アップリンク資源割り当て情報は、Ａ−ＭＡＰ（Ａｄｖａｎｃｅｄ  ＭＡＰ）のような制御信号であり得る。
【００９４】
次に、移動局２００は、アップリンク資源割り当て情報により割り当てられたアップリンク資源を介して、アップリンクサブフレームインデックス（ｍ）に相当するサブフレームでサブパケットのようなアップリンクデータバーストの伝送を開始する（Ｓ２３０）。
【００９５】
基地局１００は、受信したアップリンクデータバーストを復号し、復号に成功すると、肯定応答に相当するＡＣＫフィードバックを移動局２００に伝送し、復号に失敗すると、否定応答に相当するＮＡＣＫフィードバックを移動局２００に伝送する（Ｓ２５０）。基地局１００は、フィードバック伝送のために、ダウンリンクサブフレームインデックス（ｎ）に相当するサブフレームを用いる。ダウンリンクサブフレームインデックス（ｎ）は、ダウンリンクサブフレームインデックス（ｌ）と等しくなるように設定することができる。
【００９６】
本発明の実施形態によれば、基地局１００は、アップリンクサブフレームインデックス（ｍ）を数式６または数式７により決定することができる。数式６は、通信フレームが周波数分割二重方式に従う場合に適用され、数式７は、通信フレームが時間分割二重方式に従う場合に適用される。
【数８】
2013509790.tif 000013
【数９】
2013509790.tif 000014
【００９７】
数式７において、パラメータ値Ｋは、時間分割二重方式でチャネル帯域幅、サブフレームの数等のシステム能力により決定されるパラメータである。パラメータＫは、ＨＡＲＱ基準タイミング間隔を得るのに用いられる。アップリンクＨＡＲＱ基準タイミング間隔は、アップリンク資源割り当て情報が伝送されるダウンリンクサブフレームと、アップリンクデータバーストが伝送されるアップリンクサブフレームとの間の間隔を意味する。
【００９８】
数式７において、ｍ＝｛ｘ１、ｘ２、．．．、ｘｎ｝は、ｍがｘ１ないしｘｎのうちの１つの値になるという意味である。
【００９９】
本発明の一実施形態によれば、移動局２００は、数式７におけるパラメータ値Ｋを数式３により決定することができる。数式３によりパラメータ値Ｋを算出する場合、アップリンクＨＡＲＱ基準タイミング間隔は、ダウンリンクＨＡＲＱ基準タイミング間隔と等しく、表２に示される。
【０１００】
表２によれば、ＦＤＤモードとＴＤＤモードの通信フレームが同数のサブフレームを有する場合に、ＦＤＤモードとＴＤＤモードのアップリンクＨＡＲＱ基準タイミング間隔が互いに異なる。例えば、Ｆ＝５のＦＤＤモードの場合、アップリンクＨＡＲＱ基準タイミング間隔は２であるのに対し、Ｄ：Ｕ＝３：２のＴＤＤモードの場合、アップリンクＨＡＲＱ基準タイミング間隔は１である。
【０１０１】
以下、数式３によりパラメータ値Ｋを算出する場合のアップリンクＨＡＲＱタイミングを、図７を参照して説明する。
【０１０２】
図７は、本発明の一実施形態にかかるアップリンクＨＡＲＱタイミングを示す。
【０１０３】
図７（ａ）は、Ｆ＝７のＦＤＤモードのアップリンクＨＡＲＱタイミングを示し、図７（ｂ）は、Ｄ：Ｕ＝４：３のＴＤＤモードのアップリンクＨＡＲＱタイミングを示す。数式３によれば、パラメータ値Ｋ＝ｃｅｉｌ（（Ｄ−Ｕ）／２）＝１である。
【０１０４】
図７（ａ）によれば、基地局１００が、アップリンク資源割り当て情報をダウンリンクサブフレームインデックス（ｌ）１に相当するサブフレームで移動局２００に伝送する場合に、ｍ＝ｃｅｉｌ（ｌ＋Ｆ／２）ｍｏｄＦ＝ｃｅｉｌ（１＋７／２）ｍｏｄ７＝５である。したがって、移動局２００は、ｌ＝１に相当するアップリンク資源割り当て情報により割り当てられたアップリンク資源を介して、アップリンクサブフレームインデックス（ｍ）５に相当するサブフレームでアップリンクデータバーストを基地局１００に伝送する。以後、基地局１００は、ｍ＝５に相当するアップリンクデータバーストに対するＨＡＲＱフィードバックをダウンリンクサブフレームインデックス（ｎ）１に相当するサブフレームで移動局２００に伝送する。このＨＡＲＱフィードバックがＮＡＣＫの場合、移動局２００は、アップリンクサブフレームインデックス（ｍ）５に相当するサブフレームでアップリンクデータバーストを基地局１００に再送する。
【０１０５】
また、基地局１００が、アップリンク資源割り当て情報をダウンリンクサブフレームインデックス（ｌ）２に相当するサブフレームで移動局２００に伝送する場合に、移動局２００は、ｌ＝２に相当するアップリンク資源割り当て情報により割り当てられたアップリンク資源を介して、アップリンクサブフレームインデックス（ｍ）６に相当するサブフレームでアップリンクデータバーストを基地局１００に伝送する。以後、基地局１００は、ｍ＝６に相当するアップリンクデータバーストに対するＨＡＲＱフィードバックをダウンリンクサブフレームインデックス（ｎ）２に相当するサブフレームで移動局２００に伝送する。このＨＡＲＱフィードバックがＮＡＣＫの場合、移動局２００は、アップリンクサブフレームインデックス（ｍ）６に相当するサブフレームでアップリンクデータバーストを基地局１００に再送する。
【０１０６】
図７（ｂ）によれば、基地局１００が、アップリンク資源割り当て情報をダウンリンクサブフレームインデックス（ｌ）１に相当するサブフレームで移動局２００に伝送する場合に、Ｋ≦ｌ＜Ｕ＋Ｋであるため、ｍ＝ｌ−Ｋ＝１−１＝０である。したがって、移動局２００は、ｌ＝１に相当するアップリンク資源割り当て情報により割り当てられたアップリンク資源を介して、アップリンクサブフレームインデックス（ｍ）０に相当するサブフレームでアップリンクデータバーストを基地局１００に伝送する。以後、基地局１００は、ｍ＝０に相当するアップリンクデータバーストに対するＨＡＲＱフィードバックをダウンリンクサブフレームインデックス（ｎ）１に相当するサブフレームで移動局２００に伝送する。このＨＡＲＱフィードバックがＮＡＣＫの場合、移動局２００は、アップリンクサブフレームインデックス（ｍ）０に相当するサブフレームでアップリンクデータバーストを基地局１００に再送する。
【０１０７】
また、基地局１００が、アップリンク資源割り当て情報をダウンリンクサブフレームインデックス（ｌ）２に相当するサブフレームで移動局２００に伝送する場合に、移動局２００は、ｌ＝２に相当するアップリンク資源割り当て情報により割り当てられたアップリンク資源を介して、アップリンクサブフレームインデックス（ｍ）１に相当するサブフレームでアップリンクデータバーストを基地局１００に伝送する。以後、基地局１００は、ｍ＝１に相当するアップリンクデータバーストに対するＨＡＲＱフィードバックをダウンリンクサブフレームインデックス（ｎ）２に相当するサブフレームで移動局２００に伝送する。このＨＡＲＱフィードバックがＮＡＣＫの場合、移動局２００は、アップリンクサブフレームインデックス（ｍ）１に相当するサブフレームでアップリンクデータバーストを基地局１００に再送する。
【０１０８】
図７によれば、ＦＤＤモードのアップリンクＨＡＲＱ基準タイミング間隔は３であり、ＴＤＤモードのアップリンクＨＡＲＱ基準タイミング間隔は２である。このように、パラメータ値Ｋが数式３により決定される場合に、ＦＤＤモードとＴＤＤモードの通信フレームが同数のサブフレームを有するとしても、ＴＤＤモードは、ＦＤＤモードに比べて、１サブフレームに相当する時間だけ不足するＨＡＲＱ信号処理時間を得ることができる。
【０１０９】
したがって、本発明の他の実施形態によれば、移動局２００は、数式７におけるパラメータ値Ｋを数式４または数式５により決定することができる。
【０１１０】
数式４または数式５によりパラメータ値Ｋを算出する場合、アップリンクＨＡＲＱ基準タイミング間隔は、ダウンリンクＨＡＲＱ基準タイミング間隔と等しく、上記表３に示される。
【０１１１】
表３によれば、ＦＤＤモードとＴＤＤモードの通信フレームが同数のサブフレームを有する場合に、ＦＤＤモードとＴＤＤモードのアップリンクＨＡＲＱ基準タイミング間隔が互いに同一である。
【０１１２】
以下、数式４または数式５によりパラメータ値Ｋを算出する場合のアップリンクＨＡＲＱタイミングを、図８を参照して説明する。
【０１１３】
図８は、本発明の他の実施形態にかかるアップリンクＨＡＲＱタイミングを示す。
【０１１４】
図８（ａ）は、Ｆ＝７のＦＤＤモードのアップリンクＨＡＲＱタイミングを示し、図８（ｂ）は、Ｄ：Ｕ＝４：３のＴＤＤモードのアップリンクＨＡＲＱタイミングを示す。数式４または５によれば、パラメータ値Ｋ＝ｆｌｏｏｒ（（Ｄ−Ｕ）／２）＝０である。
【０１１５】
図８（ａ）によれば、基地局１００が、アップリンク資源割り当て情報をダウンリンクサブフレームインデックス（ｌ）１に相当するサブフレームで移動局２００に伝送する場合に、ｍ＝ｃｅｉｌ（ｌ＋Ｆ／２）ｍｏｄＦ＝ｃｅｉｌ（１＋７／２）ｍｏｄ７＝５である。したがって、移動局２００は、ｌ＝１に相当するアップリンク資源割り当て情報により割り当てられたアップリンク資源を介して、アップリンクサブフレームインデックス（ｍ）５に相当するサブフレームでアップリンクデータバーストを基地局１００に伝送する。以後、基地局１００は、ｍ＝５に相当するアップリンクデータバーストに対するＨＡＲＱフィードバックをダウンリンクサブフレームインデックス（ｎ）１に相当するサブフレームで移動局２００に伝送する。このＨＡＲＱフィードバックがＮＡＣＫの場合、移動局２００は、アップリンクサブフレームインデックス（ｍ）５に相当するサブフレームでアップリンクデータバーストを基地局１００に再送する。
【０１１６】
また、基地局１００が、アップリンク資源割り当て情報をダウンリンクサブフレームインデックス（ｌ）２に相当するサブフレームで移動局２００に伝送する場合に、移動局２００は、ｌ＝２に相当するアップリンク資源割り当て情報により割り当てられたアップリンク資源を介して、アップリンクサブフレームインデックス（ｍ）６に相当するサブフレームでアップリンクデータバーストを基地局１００に伝送する。以後、基地局１００は、ｍ＝６に相当するアップリンクデータバーストに対するＨＡＲＱフィードバックをダウンリンクサブフレームインデックス（ｎ）２に相当するサブフレームで移動局２００に伝送する。このＨＡＲＱフィードバックがＮＡＣＫの場合、移動局２００は、アップリンクサブフレームインデックス（ｍ）６に相当するサブフレームでアップリンクデータバーストを基地局１００に再送する。
【０１１７】
図８（ｂ）によれば、基地局１００が、アップリンク資源割り当て情報をダウンリンクサブフレームインデックス（ｌ）１に相当するサブフレームで移動局２００に伝送する場合に、Ｋ≦ｌ＜Ｕ＋Ｋであるため、ｍ＝ｌ−Ｋ＝１−０＝１である。したがって、移動局２００は、ｌ＝１に相当するアップリンク資源割り当て情報により割り当てられたアップリンク資源を介して、アップリンクサブフレームインデックス（ｍ）１に相当するサブフレームでアップリンクデータバーストを基地局１００に伝送する。以後、基地局１００は、ｍ＝１に相当するアップリンクデータバーストに対するＨＡＲＱフィードバックをダウンリンクサブフレームインデックス（ｎ）１に相当するサブフレームで移動局２００に伝送する。このＨＡＲＱフィードバックがＮＡＣＫの場合、移動局２００は、アップリンクサブフレームインデックス（ｍ）１に相当するサブフレームでアップリンクデータバーストを基地局１００に再送する。
【０１１８】
また、基地局１００が、アップリンク資源割り当て情報をダウンリンクサブフレームインデックス（ｌ）２に相当するサブフレームで移動局２００に伝送する場合に、移動局２００は、ｌ＝２に相当するアップリンク資源割り当て情報により割り当てられたアップリンク資源を介して、アップリンクサブフレームインデックス（ｍ）２に相当するサブフレームでアップリンクデータバーストを基地局１００に伝送する。以後、基地局１００は、ｍ＝２に相当するアップリンクデータバーストに対するＨＡＲＱフィードバックをダウンリンクサブフレームインデックス（ｎ）２に相当するサブフレームで移動局２００に伝送する。このＨＡＲＱフィードバックがＮＡＣＫの場合、移動局２００は、アップリンクサブフレームインデックス（ｍ）２に相当するサブフレームでアップリンクデータバーストを基地局１００に再送する。
【０１１９】
図８によれば、ＦＤＤモードのアップリンクＨＡＲＱ基準タイミング間隔と、ＴＤＤモードのアップリンクＨＡＲＱ基準タイミング間隔とはいずれも３である。このように、ＦＤＤモードとＴＤＤモードの通信フレームが同数のサブフレームを有し、数式４または数式５によりパラメータ値Ｋを算出する場合に、ＴＤＤモードとＦＤＤモードは、同一のＨＡＲＱ信号処理時間を得る。これにより、基地局と端末との間に行われるＨＡＲＱ動作が効率的に実行可能で、基地局と端末は一貫したＨＡＲＱ処理時間を有することができる。
【０１２０】
以上で説明した本発明の実施形態は、装置および方法によってのみ実現されるのではなく、本発明の実施形態の構成に対応する機能を実現するプログラムまたはそのプログラムが記録された記録媒体を介しても実現可能であり、このような実現は、上述した実施形態の記載から、本発明の属する技術分野における専門家であれば容易に実現することができる。
【０１２１】
以上、本発明の実施形態について詳細に説明したが、本発明の権利範囲はこれに限定されるものではなく、以下の請求の範囲で定義している本発明の基本概念を利用した当業者の様々な変形および改良形態も本発明の権利範囲に属する。
【図１】
2013509790.tif 000019
【図２】
2013509790.tif 000020
【図３】
2013509790.tif 000021
【図４】
2013509790.tif 000022
【図５】
2013509790.tif 000023
【図６】
2013509790.tif 000024
【図７】
2013509790.tif 000025
【図８】
2013509790.tif 000026
【国際調査報告】
2013509790.tif 000027
2013509790.tif 000028
2013509790.tif 000029
2013509790.tif 000030